(57)【要約】  ユーザ装置（ＵＥ）が、第１のチャネル（ＰＤＣＣＨ）上で第１の動的リソース割り当てを受け取り、この第１のリソース割り当てに基づいてデータを送信する。送信データに対する確認応答又は否定応答が第２のチャネル（ＰＨＩＣＨ）上で発生するようにスケジューリングされている時間中、ＵＥは、ＡＣＫ／ＮＡＣＫに優先する優先行動を行う。その後ＵＥは、第１のチャネル上で第２の動的リソース割り当てを受け取り、この第２の動的リソース割り当てから送信データに対するＡＣＫ／ＮＡＣＫを判断する。判断ステップは、ゼロ値のリソース割り当てを受け取るような直接的なものであってもよく、或いは第２の動的リソース割り当てを第２のチャネルにマッピングして、このマッピング後に第２のチャネル上で確認応答を受け取るような間接的なものであってもよい。また、Ｎｏｄｅ  Ｂの視点から見た同様のミラー動作、並びに装置、方法、及び具体化されたコンピュータプログラムについても詳述する。【選択図】図１
2011509585.tif 000002
【特許請求の範囲】
【請求項１】
第１のチャネル上で第１の動的リソース割り当てを受け取るステップと、
前記第１のリソース割り当てに基づいてデータを送信するステップと、
前記送信データに対する確認応答又は否定応答が第２のチャネル上で発生するようにスケジューリングされている時間中、前記確認応答又は否定応答に優先する優先行動を行うステップと、
前記第１のチャネル上で第２の動的リソース割り当てを受け取るステップと、
前記受け取った第２の動的リソース割り当てから前記送信データに対する前記確認応答又は否定応答を判断するステップと、
を含むことを特徴とする方法。
【請求項２】
前記第１のチャネルが物理ダウンリンク制御チャネルであり、前記第２のチャネルが物理Ｈ−ＡＲＱインジケータチャネルである、
ことを特徴とする請求項１に記載の方法。
【請求項３】
前記第２の動的リソース割り当てが、アップリンクリソース割り当てをさらに含む、
ことを特徴とする請求項１に記載の方法。
【請求項４】
前記確認応答が、前記第２の動的リソース割り当て内のゼロ値の無線リソースの割り当てを含む、
ことを特徴とする請求項３に記載の方法。
【請求項５】
前記第１の動的リソース割り当てが、前記第１の動的リソース割り当ての第１のインデックス順に基づいて第２のチャネルにマッピングされ、前記第２の動的リソース割り当てが、前記第２の動的リソース割り当ての第２のインデックス順に基づいて前記第２のチャネルにマッピングされる、
ことを特徴とする請求項１に記載の方法。
【請求項６】
前記確認応答又は否定応答を判断するステップが、受け取った前記第２のインデックス順のオフセットを使用して、前記第２の動的リソース割り当てを前記第２のチャネルにマッピングするステップを含む、
ことを特徴とする請求項５に記載の方法。
【請求項７】
前記優先行動が、チャネル品質の測定、チャネル品質の報告、及び隣接セルのセル識別のうちの少なくとも１つを含む、
ことを特徴とする請求項１に記載の方法。
【請求項８】
Ｅ−ＵＴＲＡＮネットワーク内のユーザ装置により実行される請求項１に記載の方法。
【請求項９】
確認応答をスケジューリングするための動作を行うべくデジタルデータプロセッサにより実行可能な機械可読命令のプログラムを具体化するコンピュータ可読メモリであって、前記ステップが、
第１のチャネル上で第１の動的リソース割り当てを受け取ったことに応答して、前記第１のリソース割り当てに基づいてデータを送信するステップと、
前記送信データに対する確認応答又は否定応答が第２のチャネル上で発生するようにスケジューリングされている時間中、前記確認応答又は否定応答に優先する優先行動を行うステップと、
前記第１のチャネル上で第２の動的リソース割り当てを受け取ったことに応答して、前記受け取った第２の動的リソース割り当てから前記送信データの前記確認応答又は否定応答を判断するステップと、
を含むことを特徴とするコンピュータ可読メモリ。
【請求項１０】
前記第１のチャネルが物理ダウンリンク制御チャネルであり、前記第２のチャネルが物理Ｈ−ＡＲＱインジケータチャネルであり、前記第１の動的リソース割り当てが、第１のインデックス順に基づいて前記第２のチャネルにマッピングされ、前記第２の動的リソース割り当てが、第２のインデックス順に基づいて前記第２のチャネルにマッピングされる、
ことを特徴とする請求項９に記載のコンピュータ可読メモリ。
【請求項１１】
前記優先行動が、チャネル品質の測定、チャネル品質の報告、及び隣接セルのセル識別のうちの少なくとも１つを含む、
ことを特徴とする請求項９に記載のコンピュータ可読メモリ。
【請求項１２】
第１のチャネル上で第１の動的リソース割り当てを受け取るように構成された受信機と、
前記第１のリソース割り当てに基づいてデータを送信するように構成された送信機と、
前記送信データに対する確認応答又は否定応答を第２のチャネル上で受け取るようにスケジューリングされている時間中、少なくとも前記受信機を前記確認応答又は否定応答の受信に優先する優先行動を行うように制御するように構成されたプロセッサと、
を備えた装置であって、前記受信機が、その後前記第１のチャネル上で第２の動的リソース割り当てを受け取るようにさらに構成され、前記プロセッサが、前記受け取った第２の動的リソース割り当てから前記送信データに対する前記確認応答又は否定応答を判断するようにさらに構成される、
ことを特徴とする装置。
【請求項１３】
前記第１のチャネルが物理ダウンリンク制御チャネルであり、前記第２のチャネルが物理Ｈ−ＡＲＱインジケータチャネルである、
ことを特徴とする請求項１２に記載の装置。
【請求項１４】
前記第２の動的リソース割り当てが、アップリンクリソース割り当てをさらに含む、
ことを特徴とする請求項１２に記載の装置。
【請求項１５】
前記確認応答が、前記第２の動的リソース割り当て内のゼロ値のリソースの割り当てを含む、
ことを特徴とする請求項１４に記載の装置。
【請求項１６】
前記プロセッサが、前記第１の動的リソース割り当ての第１のインデックス順に基づいて前記第１の動的リソース割り当てを第２のチャネルにマッピングし、前記第２の動的リソース割り当ての第２のインデックス順に基づいて前記第２の動的リソース割り当てを前記第２のチャネルにマッピングするように構成される、
ことを特徴とする請求項１２に記載の装置。
【請求項１７】
前記プロセッサが、前記受信機で受け取った前記第２のインデックス順のオフセットを使用して、前記第２の動的リソース割り当てを前記第２のチャネルにマッピングすることにより前記確認応答又は否定応答を判断する、
ことを特徴とする請求項１６に記載の装置。
【請求項１８】
前記優先行動が、チャネル品質の測定、チャネル品質の報告、及び隣接セルのセル識別のうちの少なくとも１つを含む、
ことを特徴とする請求項１２に記載の装置。
【請求項１９】
前記装置が、Ｅ−ＵＴＲＡＮネットワーク内のユーザ装置を含む、
ことを特徴とする請求項１２に記載の装置。
【請求項２０】
第１のチャネル上で第１の動的リソース割り当てを受け取るための受信手段と、
前記第１のリソース割り当てに基づいてデータを送信するための送信手段と、
前記送信データに対する確認応答又は否定応答を第２のチャネル上で受け取るようにスケジューリングされている時間中、少なくとも前記受信手段を前記確認応答又は否定応答の受信に優先する優先行動を行うように制御するための処理手段と、
を備え、前記受信手段がさらに、前記第１のチャネル上で第２の動的リソース割り当てを受け取るためのものであり、前記処理手段がさらに、前記受け取った第２の動的リソース割り当てから前記送信データの前記確認応答又は否定応答を判断するためのものである、
ことを特徴とする装置。
【請求項２１】
前記受信手段が受信機を含み、前記送信手段が送信機を含み、前記処理手段がデジタルデータプロセッサを含み、
前記第１のチャネルが物理ダウンリンク制御チャネルであり、前記第２のチャネルが物理Ｈ−ＡＲＱインジケータチャネルであり、
前記プロセッサが、前記第１の動的リソース割り当ての第１のインデックス順に基づいて前記第１の動的リソース割り当てを第２のチャネルにマッピングし、前記第２の動的リソース割り当ての第２のインデックス順に基づいて前記第２の動的リソース割り当てを前記第２のチャネルにマッピングするように構成される、
ことを特徴とする請求項２０に記載の装置。
【請求項２２】
第１の動的リソース割り当てを第１のチャネル上でユーザ装置へ送信するステップと、
前記第１のリソース割り当てに基づいて前記ユーザ装置からデータを正しく受信する、又は受信しないステップと、
前記受信した又は受信しなかったそれぞれのデータに対する確認応答又は否定応答を第２のチャネル上で前記ユーザ装置へ送信するようにスケジューリングしている時間中、前記ユーザ装置が前記確認応答又は否定応答の受信に優先する優先行動を行うと判断するステップと、
前記ユーザ装置が、前記受信した又は受信しなかったそれぞれのデータの前記確認応答又は否定応答を判断できる材料となる情報を含む第２の動的リソース割り当てを前記第１のチャネル上で前記ユーザ装置へ送信するステップと、
を含むことを特徴とする方法。
【請求項２３】
前記第１のチャネルが物理ダウンリンク制御チャネルであり、前記第２のチャネルが物理Ｈ−ＡＲＱインジケータチャネルである、
ことを特徴とする請求項２２に記載の方法。
【請求項２４】
前記情報が、前記第２の動的リソース割り当て内のゼロ値の無線リソースの割り当てを含む、
ことを特徴とする請求項２２に記載の方法。
【請求項２５】
前記第１の動的リソース割り当てが、前記第１の動的リソース割り当ての第１のインデックス順に基づいて前記第２のチャネルにマッピングされ、前記第２の動的リソース割り当てが、前記第２の動的リソース割り当ての第２のインデックス順に基づいて前記第２のチャネルにマッピングされる、
ことを特徴とする請求項２２に記載の方法。
【請求項２６】
前記第２のインデックス順を前記第２の動的リソース割り当てにマッピングする際に使用するためのオフセットを送信するステップをさらに含む、
ことを特徴とする請求項２５に記載の方法。
【請求項２７】
前記優先行動が、チャネル品質の測定、チャネル品質の報告、及び隣接セルのセル識別のうちの少なくとも１つを含む、
ことを特徴とする請求項２２に記載の方法。
【請求項２８】
第１のチャネル上で第１の動的リソース割り当てをユーザ装置へ送信するように構成された送信機と、
前記第１のリソース割り当てに基づいて前記ユーザ装置からデータを正しく受信するように構成された受信機と、
前記正しく受信したデータに対する確認応答を第２のチャネル上で前記ユーザ装置へ送信するようにスケジューリングしている時間中、前記ユーザ装置が前記確認応答又は否定応答の受信に優先する優先行動を行うと判断するように構成されたプロセッサと、
を備え、前記送信機が、その後前記第１のチャネル上で第２の動的リソース割り当てを前記ユーザ装置へ送信するようにさらに構成され、前記第２の動的リソース割り当てが、前記ユーザ装置が該第２の動的リソース割り当てに基づいて前記受信データの前記確認応答を判断できる材料となる情報を含む、
ことを特徴とする装置。
【請求項２９】
前記第１のチャネルが物理ダウンリンク制御チャネルであり、前記第２のチャネルが物理Ｈ−ＡＲＱインジケータチャネルである、
ことを特徴とする請求項２８に記載の装置。
【請求項３０】
前記第２の動的リソース割り当てが、アップリンクリソース割り当てをさらに含む、
ことを特徴とする請求項２８に記載の装置。
【請求項３１】
前記情報が、前記第２の動的リソース割り当て内のゼロ値の無線リソースの割り当てを含む、
ことを特徴とする請求項２８に記載の装置。
【請求項３２】
前記プロセッサが、前記第１の動的リソース割り当ての第１のインデックス順に基づいて前記第１の動的リソース割り当てを前記第２のチャネルにマッピングし、前記第２の動的リソース割り当ての第２のインデックス順に基づいて前記第２の動的リソース割り当てを前記第２のチャネルにマッピングするように構成される、
ことを特徴とする請求項２８に記載の装置。
【請求項３３】
前記送信機が、前記第２のインデックス順を前記第２の動的リソース割り当てにマッピングする際に使用するためのオフセットを前記ユーザ装置へ送信するようにさらに構成される、
ことを特徴とする請求項３２に記載の装置。
【請求項３４】
前記優先行動が、チャネル品質の測定、チャネル品質の報告、及び隣接セルのセル識別のうちの少なくとも１つを含む、
ことを特徴とする請求項２５に記載の装置。
【発明の詳細な説明】
【技術分野】
【０００１】
本発明の例示的かつ非限定的な実施形態は、一般に、無線通信システム、方法、装置、及びコンピュータプログラム製品に関し、より具体的には、動的スケジューリング環境における自動再送要求割り当てに関する。
【背景技術】
【０００２】
以下は、本発明の説明において使用するいくつかの頭字語である。
３ＧＰＰ  第３世代パートナシッププロジェクト
ＣＣＥ  接続制御エンティティ
ＤＬ  ダウンリンク
ｅＮＢ．  進化型Ｎｏｄｅ  Ｂ（ＬＴＥネットワークの基地局）
Ｅ−ＵＴＲＡＮ  進化型地上波無線アクセスネットワーク
ＦＤＤ  周波数分割複信
Ｈ−ＡＲＱ  ハイブリッド自動再送要求
ＬＴＥ  ロングタームエボリューション（Ｅ−ＵＴＲＡＮ又は３．９Ｇとしても知られる）
ＰＨＩＣＨ  物理Ｈ−ＡＲＱインジケータチャネル
ＰＤＣＣＨ  物理ダウンリンク制御チャネル
ＰＲＢ  物理リソースブロック
ＴＤＤ  時分割複信
ＴＴＩ  送信時間間隔
ＵＥ  ユーザ装置
ＵＬ  アップリンク
【０００３】
これらの教示には、測定ギャップに関するＨ−ＡＲＱの挙動が関連する。ＬＴＥの主眼点の１つは、高速ハイブリッド自動再送要求（Ｈ−ＡＲＱ）の使用であり、これはスペクトル効率を向上させるために使用される。動的スケジューリングされたアップリンクデータのための通常のＨ−ＡＲＱ動作は、［ダウンリンク制御チャネル（ＰＤＣＣＨ）上でシグナリングされる］個々のアップリンクリソースグラントごとに、肯定応答（ＡＣＫ）及び否定応答（ＮＡＫ又はＮＡＣＫ）のための関連するＨ−ＡＲＱフィードバックチャネルが存在するというものである。３ＧＰＰにおける現在の認識では、（ＰＤＣＣＨ上で送信される）アップリンクグラントの時間とＵＥが実際にアップリンクデータを送信する時間との間に遅延が存在し、ｅＮＢがＰＨＩＣＨ（物理Ｈ−ＡＲＱインジケーションチャネル）上でＡＣＫ／ＮＡＣＫを送信すべき時間との間にさらなる遅延が存在する。現在のところ、スケジューリング遅延は３ｍｓ（これにＰＤＣＣＨ上の実際のシグナリングの遅延が加わる）であり、ｅＮＢの処理時間もまた３ｍｓであると仮定される。つまりこれは、単一のＨ−ＡＲＱ処理又はチャネルのタイミング関係が、（一例として）以下の連続するＴＴＩに従うであろうことを意味する。
ＴＴＩ＃０：ＵＬ割り当てグラントがＰＤＣＣＨ上で送信される。
ＴＴＩ＃４：許可されたＵＬリソースに基づくＵＥからのＵＬデータ送信。
ＴＴＩ＃８：ＡＣＫ／ＮＡＣＫがＰＨＩＣＨ上で送信される［或いは、適応型Ｈ−ＡＲＱの場合には、ＰＤＣＣＨ上における再送のための動的スケジューリング］。
【０００４】
アップリンクに非適応型Ｈ−ＡＲＱを使用する場合（つまり、同じ物理リソース上でアップリンク再送が行われ、ＵＥがアップリンクで再送を行うべきか否かの指示のみを必要とする場合）について検討する。これは、ＰＨＩＣＨシグナリングを通じて処理され、３ＧＰＰにおける現在の認識では、ＵＥには、自身の「割り当て順序」を通じてＰＨＩＣＨリソースが割り当てられ、この順序は、例えば、リソース割り当ての指示に使用されるＣＣＥインデックスに関連する場合がある（上述のシーケンスにおけるＴＴＩ＃０）。別の方法は、割り当て順序を、追加のシグナリングと組み合わせられた割り当て済みのアップリンク物理リソースに関連付けて、割り当て済みの物理リソースの第１のＰＲＢインデックスに対してオフセットを示すことである。
【０００５】
３ＧＰＰ開発のＲＡＮ４グループでは、現在のところ、ハンドオーバに関する（セル識別及び信号レベル測定を含む）測定をＵＥがいつ及びどのように行えるようにするかに関して議論が進行中である。ＵＥは、セル識別、さらには隣接するｅＮＢとの何らかのチャネルの測定（すなわち、信号強度などのチャネル品質の何らかの測定）を行って１つのｅＮＢから別のｅＮＢへのハンドオーバに備える必要があるということが理解される。これは、３ＧＧＰでは測定ギャップと呼ばれ、ＵＥが周辺セルのセル識別（周波数間又は無線間アクセス技術ＲＡＴ）を行い、この報告のために測定を行う（通常は、ハンドオーバを目的とするが、これらは、ネットワークの構成又はテスト又はその他のより日常的な目的のためにｅＮＢによって課されることもある）時間のことである。この測定ギャップは、ｅＮＢとＵＥとの間で調整された時点において発生する。しかし、これらの測定ギャップがＨ−ＡＲＱのタイミング関係に影響を与え、又はこれを中断させることは明らかである。
【０００６】
３ＧＰＰにおけるこの件に関する現在の合意事項は、Ｅ−ＵＴＲＡＮステージ２仕様３６．３００に対する最新の変更に記録されており、文献Ｒ２−０７５４８４（変更要求、３ＧＰＰ  ＴＳＧＲＡＮ２会議＃６０、韓国、チェジュ島にて、２００７年１１月５〜９日、ノキア・シーメンス・ネットワークによる）において以下のように見出すことができる。
−  測定ギャップはＨ−ＡＲＱ再送よりも優先順位が高く、Ｈ−ＡＲＱ再送が測定ギャップと衝突するときには、決してＨ−ＡＲＱ再送は発生しない。したがって、これらの測定ギャップが発生してＨ−ＡＲＱ通信と競合するという認識はあり、ＵＥが測定ギャップにある間にＨ−ＡＲＱ送信が発生した場合、Ｈ−ＡＲＱ送信は発生しないとということが定められている。ｅＮＢは測定ギャップについて認識し（通常、ＵＥの測定ギャップを命令する）、また、この同じＵＥにＡＣＫ／ＮＡＣＫをいつ送信する予定であるかについても認識しているので、これは単純な実施構成であり、したがって、ｅＮＢは、ＬＴＥに関して合意された上記優先順位決定に従って、ＵＥに対するＡＣＫ又はＮＡＣＫの送信を単純に見合わせる。
【０００７】
基本的にこの合意は、実際に測定ギャップは、ｅＮＢがＵＥに対して、ＰＤＣＣＨを含むいずれのＤＬ情報を受け取ることも、又はＨ−ＡＲＱ  ＡＣＫ及びＮＡＣＫを含むいずれの情報をＵＬで送信することも期待できないギャップであることを意味する。
【０００８】
発明者は、他者により提案されているいずれの解決策も知らない。問題を回避する１つの直接的な選択肢は、ＵＥに２つの送信機及び２つの受信機を搭載することである。しかしながら、ＵＥのコスト増加、及びこのようなデュアルトランシーバの能力を有していない既に使用中の旧式のＵＥをどうするかはさておき、周波数分割により信号を分割して同じ装置との間で同時送受信を行うと、ＵＥ内部で干渉問題が発生する場合があるので、このようなＵＥの設計は簡単なことではない。
【発明の概要】
【発明が解決しようとする課題】
【０００９】
Ｈ−ＡＲＱの価値が事実上無くなる（例えば、閾値期間が経過することによる非受信と解釈される）ほど長く待機することなく測定ギャップ内で通常のＨ−ＡＲＱタイミングが発生するようなＨ−ＡＲＱを可能にする方法が必要とされている。
【課題を解決するための手段】
【００１０】
本発明の実施形態によれば、第１のチャネル上で第１の動的リソース割り当てを受け取るステップと、この第１のリソース割り当てに基づいてデータを送信するステップとを含む方法が存在する。送信データに対する確認応答又は否定応答が第２のチャネル上で行われるようにスケジューリングされている時間中、この方法は、確認応答又は否定応答に優先する優先行動を行うステップと、その後、第１のチャネル上で第２の動的リソース割り当てを受け取るステップと、この第２の動的リソース割り当てから送信データに対する確認応答又は否定応答を判断するステップとを含む。判断ステップは、ゼロ値のリソース割り当てを受け取るような直接的なものであってもよく、或いは第２の動的リソース割り当てを第２のチャネルにマッピングして、このマッピング後に第２のチャネル上で確認応答を受け取るような間接的なものであってもよい。
【００１１】
本発明の別の実施形態によれば、確認応答をスケジューリングするための動作を実行すべくデジタルデータプロセッサにより実行可能な機械可読命令のプログラムを具体化するコンピュータ可読メモリが存在する。この実施形態では、ステップは、第１のチャネル上で第１の動的リソース割り当てを受け取ったことに応答して、この第１のリソース割り当てに基づいてデータを送信するステップと、送信データに対する確認応答又は否定応答が第２のチャネル上で行われるようにスケジューリングされている時間中、確認応答又は否定応答に優先する優先行動を行うステップとを含む。さらなるステップは、第１のチャネル上で第２の動的リソース割り当てを受け取ったことに応答して、この第２の動的リソース割り当てから送信データに対する確認応答又は否定応答を判断するステップを含む。
【００１２】
本発明の別の実施形態によれば、受信機、送信機、及びプロセッサを含む装置が存在する。受信機は、第１のチャネル上で第１の動的リソース割り当てを受け取るように構成され、送信機は、この第１のリソース割り当てに基づいてデータを送信するように構成される。プロセッサは、送信データに対する確認応答又は否定応答が第２のチャネル上で受け取られるようにスケジューリングされている時間中、少なくとも受信機を確認応答又は否定応答の受信に優先する優先行動を行うように制御するように構成される。受信機は、その後第１のチャネル上で第２の動的リソース割り当てを受け取って、この第２の動的リソース割り当てから送信データに対する確認応答又は否定応答を判断するようにさらに構成される。
【００１３】
本発明の別の実施形態によれば、受信手段、送信手段、及び処理手段を含む装置が存在する。受信手段は、第１のチャネル上で第１の動的リソース割り当てを受け取るためのものであり、送信手段は、第１のリソース割り当てに基づいてデータを送信するためのものである。処理手段は、送信データに対する確認応答又は否定応答が第２のチャネル上で受け取られるようにスケジューリングされている時間中、少なくとも受信手段を確認応答又は否定応答の受信に優先する優先行動を行うように制御するためのものである。受信手段はさらに、第１のチャネル上で第２の動的リソース割り当てを受け取るためのものであり、プロセッサはさらに、第２の動的リソース割り当てから送信データに対する確認応答又は否定応答を判断するためのものである。特定の実施形態では、受信手段が受信機であり、送信手段が送信機であり、処理手段がデジタルデータプロセッサであり、さらに第１のチャネルが物理ダウンリンク制御チャネルであり、第２のチャネルが物理Ｈ−ＡＲＱインジケータチャネルであり、処理手段は、第１の動的リソース割り当ての第１のインデックス順に基づいて第１の動的リソース割り当てを第２のチャネルにマッピングし、第２の動的リソース割り当ての第２のインデックス順に基づいて第２の動的リソース割り当てを第２のチャネルにマッピングするように構成され、この場合実施形態では、第２のインデックス順は、受け取ったオフセットを使用してマッピングされる。
【００１４】
本発明の別の実施形態によれば、第１の動的リソース割り当てを第１のチャネル上でユーザ装置へ送信するステップと、この第１のリソース割り当てに基づいてユーザ装置からデータを正しく受信する、又は受信しないステップと、それぞれの受信した又は受信しなかったデータに対する確認応答又は否定応答を第２のチャネル上でユーザ装置へ送信するようにスケジューリングしている時間中、ユーザ装置が確認応答又は否定応答の受信に優先する優先行動を行っていると判断するステップとを含む方法が存在する。さらに、この方法は、ユーザ装置がそれぞれの受信した又は受信しなかったデータに対する確認応答又は否定応答を判断できる材料となる情報を含む第２の動的リソース割り当てを第１のチャネル上でユーザ装置へ送信するステップを含む。
【００１５】
本発明の別の実施形態によれば、送信機、受信機、及びプロセッサを含む装置が存在する。送信機は、第１の動的リソース割り当てを第１のチャネル上でユーザ装置へ送信するように構成され、受信機は、この第１のリソース割り当てに基づいてユーザ装置から正しくデータを受信するように構成される。プロセッサは、正しく受信したデータに対する確認応答を第２のチャネル上でユーザ装置へ送信するようにスケジューリングしている時間中、ユーザ装置が確認応答又は否定応答の受信に優先する優先行動を行っていると判断するように構成される。さらに、送信機は、その後第２の動的リソース割り当てを第１のチャネル上でユーザ装置へ送信するように構成され、この第２の動的リソース割り当ては、ユーザ装置が第２の動的リソース割り当てに基づいて受信データに対する確認応答を判断できる材料となる情報を含む。
【００１６】
以下、本発明のこれらの及びその他の態様についてより具体的に詳述する。
【図面の簡単な説明】
【００１７】
【図１】相互に整列されたアップリンク及びダウンリンクのタイムスロットの概略図であり、Ｈ−ＡＲＱタイミングが動的リソース割り当てから従属している場合の測定ギャップから発生する問題を例示するための様々な通信を示している。
【図２】本発明を実施するために使用できるユーザ装置及び無線アクセスネットワークの要素の概略図である。
【図３】ＵＥ及びＮｏｄｅ  Ｂの両方の視点から見た本発明の実施形態による処理ステップを示すフロー図である。
【発明を実施するための形態】
【００１８】
上述したように、本発明の態様は、３ＧＰＰのロングタームエボリューション（ＬＴＥ）の概念創出に対して特に利点を有する。これらの教示は、ＬＴＥのＦＤＤ動作モードにとって特に有益であると思われるが、同様にＴＤＤモードに適用することもできる。実施形態では、本発明は、好ましくはＨ−ＡＲＱ動作及び測定ギャップに関するデフォルトのＵＥ及びｅＮＢの挙動を定める無線アクセス仕様で定義される構成規則を有することになっている。解決策を考案する際の重要な考慮すべき事項は、ＵＥが、ＰＨＩＣＨ上でＨ−ＡＲＱ情報を受け取ることが不可能な時点でデータを送信する場合には、常にＵＥはＰＨＩＣＨ割り当てを失うことになり、新たなＵＬリソース割り当てを通じてＨ−ＡＲＱ関連の情報を受け取ることしかできないということである。換言すれば、ＵＥがスケジューリング時にＡＣＫ／ＮＡＣＫを受け取ることができなければ、ＰＤＣＣＨ上における第１の割り当てからＰＨＩＣＨに対して行われる第１のマッピングはもはや有効ではなく、したがって、元々のＰＤＣＣＨ割り当てからのインデックスマッピングによって与えられるスケジューリングされた時間とは異なる別の時間に、単純にＵＥにＡＣＫ／ＮＡＣＫをリスンさせることはできない。本発明の実施形態におけるＨ−ＡＲＱ情報は、動的割り当てによってＰＤＣＣＨ上で伝送されることになっており、この場合、否定応答は、（ＵＥが受け取れなかった元々のＮＡＣＫの）冗長性バージョンによって示されて、再送が期待されている旨をＵＥに伝えるのに対し、肯定応答は、（新たなＰＤＣＣＨ割り当てによってマッピングされるＰＨＩＣＨ上のＡＣＫの）新たな送信を示す冗長性バージョンにリソースを割り当て／許可することによって示される。ＵＥが新規のリソースを全く許可されることになっていない場合、ゼロ値のリソースを割り当てることにより、ＵＥに対して肯定応答を示すことができる。この特殊な割り当てグラントは、例えば、ゼロの物理リソースの割り当てを通じて、又は送信のためにゼロサイズのトランスポートブロックをＵＥに割り当て、同時にＵＥが新規データを送信すべきである旨を示すことによって（新規データインジケータの使用を通じて）可能となる。
【００１９】
上述の本発明をより明確に示すために図１を検討する。上部のブロックの線／組は、ＰＤＣＣＨ上のアップリンクリソースグラントのダウンリンク送信を示している。下部のブロックの線／組は、対応するアップリンク送信を示している。個々のブロックは、１ｍｓのタイムスロット又はＴＴＩを示し、ブロックは、上部の線／行と下部の線／行との間で時間的に整列している。ブロックの上の番号はインデックスを示し、ブロック内の番号は特定のＨ−ＡＲＱ処理を示しており、従って例えば、ＤＬスロット０の番号「１」がＵＬ割り当てとしてＵＥへ送信され、次にＵＥがこのＵＬ割り当てに基づいてＵＬ  ＴＴＬ＃４において自身のデータ「１」を送信する。図を通じてブロック内の同じ「１」は、同じＨ−ＡＲＱ処理を示す。
【００２０】
ＵＥの割り当て受信から実際のアップリンクデータの送信まで３ｍｓの遅延があることが分かる。（１ｍｓかかる）送信後、ＡＣＫ／ＮＡＣＫ又は動的アップリンク割り当てを行うことができるまでに、（ｅＮＢの受信及び処理のために）さらに３ｍｓの遅延がある。さらに、図１では、ＵＥが送受信できない（オレンジのフィールドで示す）何らかの測定ギャップが存在することが分かる。
【００２１】
ここで、Ｈ−ＡＲＱ処理＃１（図１のＤＬ  ＴＴＩ  ＃０において送信されるＵＬ割り当て）に対するアップリンク送信の割り当てについて検討する。データのアップリンク送信はＵＬ  ＴＴＩ＃４で発生し、ＰＨＩＣＨ上のＡＣＫ／ＮＡＣＫ指示はＤＬ  ＴＴＩ＃８で発生することになる。ここで、新規アップリンク割り当てがＤＬ  ＴＴＩ＃８で許可／シグナリングされる場合について検討する。この新規アップリンク割り当てに対応するアップリンクデータ送信は、ＵＬ  ＴＴＩ＃１２で発生することになる。しかしながら、図１で分かるように、ＴＴＩ＃１４〜１９に及ぶ測定ギャップ中、ＵＥはＨ−ＡＲＱステータスに関する指示を受け取ることができない。さらに、ＰＨＩＣＨリソースの割り当てはＰＤＣＣＨの「割り当て順序」と関連性があるので、ＵＥは、後の時点のためにこの情報を保持することができず、測定ギャップ後の再送に関しては動的割り当てに依拠する必要が生じる。その後、次のＰＤＣＣＨが送信された後に発生するこのＨ−ＡＲＱ処理＃１のＡＣＫ／ＮＡＣＫは、いずれも元々のＰＤＣＣＨのＰＤＣＣＨ対ＰＨＩＣＨマッピングをもはや使用することができず、これは期限切れとなっている。
【００２２】
したがって、ＵＥの視点からすると、ＵＥは、第１のチャネルのＰＤＣＣＨ上で第１の動的リソース割り当てを受け取り、その後この第１のリソース割り当てに基づいてデータを送信する。送信データに対するＡＣＫ又はＮＡＣＫが第２のチャネルのＰＨＩＣＨ上で行われるようにスケジューリングされている時間中、ＵＥは、上記背景技術で規定したように、隣接セルの測定及び／又は報告などの、ＡＣＫ／ＮＡＣＫに優先する優先行動を行う。したがって、ＵＥは、送信データに対するＡＣＫ／ＮＡＣＫを通常通りに受け取ることができず、したがって、第１のチャネルのＰＤＣＣＨ上で第２の動的リソース割り当てを受け取り、この第２の動的リソース割り当てに基づいて送信データに対するＡＣＫ／ＮＡＣＫを受け取り、この割り当てが、第２ＰＤＣＣＨ内の異なるインデックス順序に起因して、元々のＰＤＣＣＨが行ったマッピングとは異なるようにＰＨＩＣＨにマッピングされる。
【００２３】
ｅＮＢの視点からすると、ｅＮＢは、第１の動的リソース割り当てを第１のチャネルのＰＤＣＣＨ上でＵＥへ送信し、その後この第１のリソース割り当てに基づいてＵＥからデータを受信し、又は受信しない。受信した又は受信しなかったそれぞれのデータに対するＡＣＫ又はＮＡＣＫを第２のチャネルのＰＨＩＣＨ上で送信するようにスケジューリングしている時間中、ｅＮＢは、ＵＥが上記背景技術で規定したような、隣接セル測定及び／又は報告などの、ＡＣＫ／ＮＡＣＫに優先する優先行動を行うと判断する。ｅＮＢは、この判断から、ＵＥがこのデータに対するＡＣＫ／ＮＡＣＫをｅＮＢから通常通り受け取ることができないことを認識し、従ってｅＮＢは、第１のチャネルのＰＤＣＣＨ上で第２の動的リソース割り当てをＵＥへ送信し、この第２の動的リソース割り当てのＰＤＣＣＨに基づいて送信データに対するＡＣＫ／ＮＡＣＫを送信し、この割り当てが、第２ＰＤＣＣＨ内の異なるインデックス順序に起因して、元々のＰＤＣＣＨが行ったのとは異なるようにＰＨＩＣＨにマッピングされる。
【００２４】
ここで、本発明の例示的な実施形態の実施における使用に適した様々な電子装置の簡略ブロック図を示す図２を参照する。図２では、ＵＥ１０とＮｏｄｅ  Ｂ１２（ｅ−ＮｏｄｅＢ）との間の通信に無線ネットワーク１８が適用される。ネットワーク１８は、ゲートウェイＧＷ／サービングモビリティエンティティＭＭＥ／無線ネットワークコントローラＲＮＣ１４、又は異なる無線通信システムにおいて様々な用語で知られるその他の無線コントローラ機能を含むことができる。ＵＥ１０は、データプロセッサ（ＤＰ）１０Ａ、プログラム（ＰＲＯＧ）１０Ｃを記憶するメモリ（ＭＥＭ）１０Ｂ、及び１又はそれ以上の無線リンク２０を介してＮｏｄｅ  Ｂ  １２と双方向無線通信を行うために１又はそれ以上のアンテナ１０Ｅ（１つを図示）に結合された適当な無線周波数（ＲＦ）トランシーバ１０Ｄを含む。
【００２５】
「接続された」、「結合された」という用語、又はこれらのあらゆる変形は、直接的、間接的を問わず、２又はそれ以上の要素間のあらゆる接続又は結合を意味するとともに、ともに「接続された」又は「結合された」２つの要素間における１又はそれ以上の中間要素の存在を含むことができる。要素間の結合又は接続は、物理的なもの、論理的なもの、又はこれらの組み合わせであってもよい。本明細書で使用する場合、２つの要素が、１又はそれ以上のワイヤ、ケーブル、及びプリント電気接続部を使用して、並びに非限定的な例として、高周波領域、マイクロ波領域及び光学（可視、不可視の両方）領域内に波長を有する電磁エネルギーなどの電磁エネルギーを使用して、ともに「接続」又は「結合」されると考えることができる。
【００２６】
Ｎｏｄｅ  Ｂ１２もまた、ＤＰ１２Ａ、ＰＲＯＧ１２Ｃを記憶するＭＥＭ１２Ｂ、及び１又はそれ以上のアンテナ１２Ｅに結合された適当なＲＦトランシーバ１２Ｄを含む。Ｎｏｄｅ  Ｂ１２は、（Ｉｕｂ又はＳ１インタフェースなどの）データパス３０を介してサービング又はその他のＧＷ／ＭＭＥ／ＲＮＣ１４に結合することができる。ＧＷ／ＭＭＥ／ＲＮＣ１４は、ＤＰ１４Ａ、ＰＲＯＧ１４Ｃを記憶するＭＥＭ１４Ｂ、及びＩｕｂリンク３０を介してＮｏｄｅ  Ｂ１２と通信するための適当なモデム及び／又はトランシーバ（図示せず）を含む。
【００２７】
また、ｎｏｄｅ  Ｂ１２内には、様々なＵＬ及びＤＬサブフレーム／スロット／ＴＴＩに関して様々なＵＥをｎｏｄｅ  Ｂの制御下でスケジューリングするスケジューラ１２Ｆが存在する。スケジューリングされると、Ｎｏｄｅ  Ｂは、スケジューリンググラントを含むメッセージをＵＥへ送信する（通常、１つのメッセージの形で複数のＵＥのグラントを多重送信する）。これらのグラントは、上記詳述した特定の実施形態とともに示した特定のチャネルを介して送信される。一般に、ＬＴＥシステムのＮｏｄｅ  Ｂ１２は、自身のスケジューリングにおいてかなり自立しており、自身のＵＥの１つが他のＮｏｄｅ  Ｂにハンドオーバしている間以外は、ＧＷ／ＭＭＥ１４と協調する必要はない。
【００２８】
ＰＲＯＧ１０Ｃ、１２Ｃ、及び１４Ｃのうちの少なくとも１つは、関連するＤＰにより実行された場合、電子装置を上述のような本発明の例示的な実施形態に従って動作できるようにするプログラム命令を含むと推定される。ＤＰ１０Ａ、１２Ａ、及び１４Ａには、要求される適切な時間間隔及びタイムスロット内で送受信を行うために、様々な装置間における同期を可能にするためのクロックが備わっているが、これはスケジューリンググラント及び許可されたリソース／サブフレームが時間に依存するためである。
【００２９】
必要に応じて、ＰＲＯＧ１０Ｃ、１２Ｃ、１４Ｃをソフトウェア、ファームウェア、及び／又はハードウェアの形で具体化することができる。一般に、図示の装置の一部又は全てにおいて、本発明の例示的な実施形態を、ＭＥＭ１０Ｂ内に記憶されたコンピュータソフトウェアによって実施し、ＵＥ１０のＤＰ１０Ａにより、またＮｏｄｅ  Ｂ１２の他のＭＥＭ１２Ｂ及びＤＰ１２Ａに関しても同様であるが、ハードウェアにより、又はソフトウェア及び／又はファームウェアとハードウェアとの組み合わせにより実行することができる。
【００３０】
一般に、ＵＥ１０の様々な実施形態として、以下に限定されるわけではないが、移動局、携帯電話、無線通信能力を有する携帯情報端末（ＰＤＡ）、無線通信能力を有するポータブルコンピュータ、無線通信能力を有するデジタルカメラなどの画像取込装置、無線通信能力を有するゲーム装置、無線通信能力を有する音楽ストレージ及び再生機器、無線インターネット接続及びブラウジングを可能にするインターネット機器、並びにこのような機能の組み合わせを組み込んだポータブルユニット又は端末を挙げることができる。
【００３１】
ＭＥＭ１０Ｂ、１２Ｂ、及び１４Ｂは、ローカルな技術環境に適したいずれの種類のものであってもよく、半導体ベースのメモリ装置、磁気記憶装置及びシステム、光学記憶装置及びシステム、固定記憶装置及び着脱可能記憶装置などのあらゆる適当なデータストレージ技術を使用して実装することができる。ＤＰ１０Ａ、１２Ａ、及び１４Ａは、ローカルな技術環境に適したいずれの種類のものであってもよく、また非限定的な例として、１又はそれ以上の汎用コンピュータ、専用コンピュータ、マイクロプロセッサ、デジタル信号プロセッサ（ＤＳＰ）、及びマルチコアプロセッサアーキテクチャに基づくプロセッサを含むことができる。
【００３２】
Ｎｏｄｅ  Ｂ１２に関する本発明の態様では、図示のプロセッサ１２ＡなどのＮｏｄｅ  Ｂ１２のデータプロセッサによって実行可能なコンピュータソフトウェアにより、又はハードウェアにより、又はソフトウェアとハードウェアとの組み合わせにより本発明の実施形態を実施することができる。ＵＥ１０に関する本発明の態様では、図示のプロセッサ１０ＡなどのＵＥ１０のデータプロセッサによって実行可能なコンピュータソフトウェアにより、又はハードウェアにより、又はソフトウェアとハードウェアとの組み合わせにより本発明の実施形態を実施することができる。さらに、この点については、上記の様々な論理ステップの記述が、プログラムステップ、又は相互接続された論理回路、ブロック及び機能、或いはプログラムステップと論理回路との、ブロックと機能との組み合わせを表すことができる点に留意されたい。
【００３３】
図３は、本発明の実施形態によるいくつかの一般的な処理ステップを示しており、ＵＥの及びＮｏｄｅ  Ｂの両方の視点からこれを示している。ブロック３０２において、Ｎｏｄｅ  ＢがＰＤＣＣＨ上で第１の動的リソース割り当てを送信してＵＥがこれを受け取り、この結果、Ｎｏｄｅ  Ｂが、ブロック３０２のリソース割り当てに基づいてＵＥが送信したデータを受け取る（又はＮＡＣＫの場合は受け取らない）。ブロック３０６において、Ｎｏｄｅ  Ｂは、ＵＥが、例えば、チャネルの測定又は報告、或いは隣接セルの測定などの従来のＨ−ＡＲＱ  ＡＣＫ／ＮＡＣＫの受信に優先する他の何らかの行動を行うと判断する。当然ながらＵＥは、自身が優先行動を行っていて別の行動は行わないことを分かっているが、Ｎｏｄｅ  Ｂは、ブロック３０８において、従来のＨ−ＡＲＱ  ＡＣＫ／ＮＡＣＫの送信を見合わせることができる。代わりに、ブロック３１０において、ｎｏｄｅ  ＢがＰＤＣＣＨ上で第２の動的リソース割り当てを送信してＵＥがこれを受け取る。ブロック３１２において、ＵＥがＨ−ＡＲＱ  ＡＣＫ／ＮＡＣＫを判断できる材料となる情報をＮｏｄｅ  Ｂが第２の動的リソース割り当て含めたということが分かる。ブロック３１４において、ＵＥは、この情報から、自身がブロック３０４において送信したデータに対するＨ−ＡＲＱ  ＡＣＫ／ＮＡＣＫを判断する。ブロック３１６は、２つの異なる種類のこのような情報を示している。
【００３４】
ＵＥが第２のリソース割り当てからＨ−ＡＲＱ  ＡＣＫ／ＮＡＣＫを直接判断する場合の例として、第２のリソース割り当てがゼロ値の無線リソースを含む場合が挙げられる。ＵＥは、これをＡＣＫとして認識する。当然ながら、この同じＵＥに対して他の非ゼロ割り当ても存在し得るが、ＰＨＩＣＨ上で時間通りにシグナリングされる従来のＡＣＫはさておき、（このＵＥへの第１の割り当てのような）ゼロ設定される特定の割り当てはＵＥに対してＡＣＫを示すが、これはブロック３０８において見合わされる。ＵＥが第２のリソース割り当てからＨ−ＡＲＱ  ＡＣＫ／ＮＡＣＫを間接的に判断する場合の例として、ＵＥが第２の割り当てのインデックス順を割り当て済みのリソースにマッピングし、このマッピングによってＵＥに割り当てられたリソースの１つがＰＨＩＣＨ（ＡＣＫの場合）である場合が挙げられ、この場合、ＵＥがこのチャネルに合わせてＡＣＫを受け取る。ＵＥは、従来のＡＣＫが送信されべきだったときにブロック３０６において優先行動を行っていた（が、ブロック３０８において送信できず、このことをＵＥは知る由もないので）ので、このＡＣＫはブロック２０４において送信したデータに関連するものであるに違いないと認識する。Ｎｏｄｅ  Ｂは、ブロック３０６の条件が満たされときに、インデックスをリソースにマッピングするために使用するオフセットをＵＥへ送信することができ、このオフセットによりインデックスがＰＨＩＣＨにマッピングされる。ブロック３１６には、これらの例をまとめている。
【００３５】
本発明は、通信システムの要素間の協調に関与又は関連する。無線通信システムの例としてＥ−ＵＴＲＡＮの実施構成が挙げられるが、本明細書の例によって表される概念を、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）及びＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）及びその他のような他のシステムに拡張することができる。本発明は、Ｅ−ＵＴＲＡＮのみに限定されるわけではないので、図示した通信システムの要素は例示的なものにすぎず、決して本発明をこれらの通信システムの要素のみに結びつけ、限定し、又は制限するものではない。
【００３６】
一般に、様々な実施形態を、ハードウェア又は専用回路、ソフトウェア（コンピュータ可読媒体上で具体化されるコンピュータ可読命令）、論理回路、又はこれらのあらゆる組み合わせの形で実現することができる。例えば、ハードウェアの形で実現できる態様もあれば、コントローラ、マイクロプロセッサ、又はその他のコンピュータ装置により実行できるファームウェア又はソフトウェアの形で実現できる態様もあるが、本発明はこれらに限定されるものではない。本発明の様々な態様をブロック図、フロー図、又は他の何らかの図的記述を使用して示し説明することができるが、本明細書で説明したこれらのブロック、装置、システム、技術、又は方法を、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実行できることが十分に理解される。
【００３７】
本発明の実施形態は、集積回路モジュールなどの様々な構成要素において実施することができる。集積回路の設計は、概して高度に自動化されたプロセスである。論理レベルの設計を、半導体基板上でエッチングされ形成される準備ができている半導体回路設計に変換するために、複雑かつ強力なソフトウェアツールが利用可能である。
【００３８】
カリフォルニア州マウンテンビューのＳｙｎｏｐｓｙｓ社、及び、カリフォルニア州サンホセのＣａｄｅｎｃｅ  Ｄｅｓｉｇｎ社により提供されるようなプログラムは、十分に確立した設計ルール並びに事前に記憶した設計モジュールのライブラリを使用して、自動的に導体を導き半導体チップ上に構成部品を位置決めする。半導体回路の設計が完了すると、結果として得られる（Ｏｐｕｓ、ＧＤＳＩＩなどの）標準化された電子フォーマットの形の設計を製造のために半導体加工施設すなわち「ｆａｂ」へ送ることができる。
【００３９】
添付図面と併せて読めば、当業者には上述の説明に照らして様々な修正及び適応が明らかになるであろう。しかしながら、本発明の教示のいずれの修正形態もが本発明の非限定的な実施形態の範囲に含まれる。
【００４０】
特定の実施形態との関連において説明したが、当業者には、これらの教示に対する数多くの修正及び様々な変更を行えることが明らかになるであろう。したがって、本発明の１又はそれ以上の実施形態に関連して本発明を具体的に示し説明したが、当業者であれば、上述したような本発明の範囲から逸脱することなく本発明にいくつかの修正又は変更を行えることを理解するであろう。
【図１】
2011509585.tif 000003
【図２】
2011509585.tif 000004
【図３】
2011509585.tif 000005
【国際調査報告】
2011509585.tif 000006
2011509585.tif 000007
2011509585.tif 000008